(57)【要約】【課題】出力低減遅延制御を行っている状態から出力を向上する際の加速ショックの発生を抑制したエンジン制御装置を提供する。【解決手段】エンジン制御装置１００を、加速要求検出手段１１０と、加速要求の減少時に出力低減遅延制御を行うエンジン出力調整手段１２０と、動力伝達機構のバックラッシュが詰まっているかエンジンの出力トルクに相関するパラメータに基づいて判定するバックラッシュ判定手段１３０とを備え、エンジン出力調整手段は、第１の制御モード、及び、第１の制御モードよりも遅延させて出力を増加させる第２の制御モードを有し、バックラッシュが詰まっている場合には第１の制御モード、開いている場合には第２の制御モードを選択するとともに、出力低減遅延制御の実行時にはバックラッシュ判定手段の判定結果に関わらず第２の制御モードを選択する構成とする。【選択図】図６
2010174847.tif 000002
【特許請求の範囲】
【請求項１】
動力伝達機構を介して車輪を駆動するエンジンを制御するエンジン制御装置であって、
加速要求を検出する加速要求検出手段と、
前記加速要求検出手段の出力に基づいて前記エンジンの出力調整を行うとともに、前記加速要求の減少時に、前記エンジンの出力を前記加速要求の減少に対して遅延させて低減する出力低減遅延制御を行うエンジン出力調整手段と、
前記動力伝達機構のバックラッシュが詰まっているか前記エンジンの出力トルクに相関するパラメータに基づいて判定するバックラッシュ判定手段と
を備え、
前記エンジン出力調整手段は、前記加速要求の増加に応じて前記エンジンの出力を増加させる第１の制御モード、及び、前記加速要求の増加に応じて前記エンジンの出力を前記第１の制御モードよりも遅延させて増加させる第２の制御モードを有し、前記バックラッシュ判定手段によって前記バックラッシュが詰まっていると判定された場合には前記第１の制御モードを選択し、前記バックラッシュが開いていると判定された場合には前記第２の制御モードを選択するとともに、前記出力低減遅延制御の実行時には前記エンジンの出力トルクに相関するパラメータに関わらず前記第２の制御モードを選択すること
を特徴とするエンジン制御装置。
【請求項２】
前記エンジン出力調整手段は、前記エンジンの吸気管路に設けられたスロットルバルブを開閉するアクチュエータを制御することによって前記エンジンの出力調整を行い、
前記バックラッシュ判定手段は、前記スロットルバルブよりも前記エンジン側の吸気管内圧力が閾値よりも大きい場合に前記バックラッシュが詰まっていると判定すること
を特徴とする請求項１に記載のエンジン制御装置。
【請求項３】
前記バックラッシュ判定手段における前記閾値は、車両が一定速度走行する場合の吸気管内圧力に関するデータに基づいて設定されること
を特徴とする請求項２に記載のエンジン制御装置。
【請求項４】
前記エンジン出力調整手段は、前記エンジンの制御目標トルクが前記加速要求に基づいて設定される加速要求トルクに対して所定値以上増加した場合に前記出力低減遅延制御を実行していると判定すること
を特徴とする請求項１から請求項３に記載のエンジン制御装置。
【発明の詳細な説明】
【技術分野】
【０００１】
本発明は、例えばドライバのアクセル操作等に基づいた加速要求に応じてエンジンの出力調整を行うエンジン制御装置に関するものである。
【背景技術】
【０００２】
ガソリンエンジンにおいては、吸気管路に設けられたスロットルバルブを用いて、吸入空気量を変化させることによって出力調整を行うことが一般的である。このようなエンジンにおいて、アクセルオフから急激にアクセルオンすること等によって、エンジン出力が急変した場合には、トランスミッション等の動力伝達機構に不可避的に設けられるバックラッシュが急激に詰まって、いわゆる加速ショック等を生じる場合がある。
これに対し、例えば特許文献１には、スロットルバルブの開弁時に、燃料噴射量を増量補正することによって加速ショックの低減を図ったエンジンの制御装置が記載されている。
【先行技術文献】
【特許文献】
【０００３】
【特許文献１】特開２００４−１５０３１２号公報
【発明の概要】
【発明が解決しようとする課題】
【０００４】
スロットルバルブを電動アクチュエータで駆動する電動スロットルを備えた車両の場合には、上述したような加速ショックを防止する目的で、アクセルの踏込み時及び戻し時におけるスロットルバルブの開き及び閉じを、アクセルペダルの操作に対して遅延させ、スロットルレスポンスを低下させる制御を行うことが提案されている。
ただし、常時このような遅延制御を行うと、例えば一定速度の走行から加速しようとした場合や、緩やかな加速から加速度を上げる場合のようにバックラッシュが詰まっている場合にもスロットルの開きが遅くなることから、アクセル操作に対する応答性（スロットルレスポンス）が低下してしまう。
【０００５】
これに対し、エンジンの負荷状態が所定値以上の場合には、動力伝達機構のバックラッシュが詰まっているものと判断して、アクセルオン時の遅延制御をキャンセルすることも考えられる。
しかし、アクセルの戻し時におけるスロットルバルブの閉じ遅延制御を行っている場合には、エンジンの負荷状態が所定値以上と判定される場合であっても、動力伝達機構のバックラッシュは開いている状態であり、このような場合にもアクセルオン時の遅延制御をキャンセルすると加速ショックが発生してしまう。
本発明の課題は、出力低減遅延制御を行っている状態から出力を向上する際の加速ショックの発生を抑制したエンジン制御装置を提供することである。
【課題を解決するための手段】
【０００６】
本発明は、以下のような解決手段により、上述した課題を解決する。
請求項１の発明は、  動力伝達機構を介して車輪を駆動するエンジンを制御するエンジン制御装置であって、加速要求を検出する加速要求検出手段と、前記加速要求検出手段の出力に基づいて前記エンジンの出力調整を行うとともに、前記加速要求の減少時に、前記エンジンの出力を前記加速要求の減少に対して遅延させて低減する出力低減遅延制御を行うエンジン出力調整手段と、前記動力伝達機構のバックラッシュが詰まっているか前記エンジンの出力トルクに相関するパラメータに基づいて判定するバックラッシュ判定手段とを備え、前記エンジン出力調整手段は、前記加速要求の増加に応じて前記エンジンの出力を増加させる第１の制御モード、及び、前記加速要求の増加に応じて前記エンジンの出力を前記第１の制御モードよりも遅延させて増加させる第２の制御モードを有し、前記バックラッシュ判定手段によって前記バックラッシュが詰まっていると判定された場合には前記第１の制御モードを選択し、前記バックラッシュが開いていると判定された場合には前記第２の制御モードを選択するとともに、前記出力低減遅延制御の実行時には前記エンジンの出力トルクに相関するパラメータに関わらず前記第２の制御モードを選択することを特徴とするエンジン制御装置である。
【０００７】
請求項２の発明は、前記エンジン出力調整手段は、前記エンジンの吸気管路に設けられたスロットルバルブを開閉するアクチュエータを制御することによって前記エンジンの出力調整を行い、前記バックラッシュ判定手段は、前記スロットルバルブよりも前記エンジン側の吸気管内圧力が閾値よりも大きい場合に前記バックラッシュが詰まっていると判定することを特徴とする請求項１に記載のエンジン制御装置である。
請求項３の発明は、前記バックラッシュ判定手段における前記閾値は、車両が一定速度走行する場合の吸気管内圧力に関するデータに基づいて設定されることを特徴とする請求項２に記載のエンジン制御装置である。
請求項４の発明は、前記エンジン出力調整手段は、前記エンジンの制御目標トルクが前記加速要求に基づいて設定される加速要求トルクに対して所定値以上増加した場合に前記出力低減遅延制御を実行していると判定することを特徴とする請求項１から請求項３に記載のエンジン制御装置である。
【発明の効果】
【０００８】
本発明によれば、以下の効果を得ることができる。
（１）出力低減遅延制御の実行時にエンジンの出力トルクに相関するパラメータに関わらず第２の制御モードを選択することによって、動力伝達機構のバックラッシュが開いている出力低減遅延制御の実行時にアクセルを再度オンした場合に、出力増加を遅延させる第２の制御モードが実行されるため、加速ショックが発生することを防止できる。
（２）圧力センサによって直接検出可能であり、かつトルクとの相関性が高い吸気管内圧力に基づいてバックラッシュの有無を判定することによって、例えばエンジン回転数、燃料噴射量、スロットル開度等からエンジンの出力トルクを推定する場合に対して、バックラッシュの有無を精度よく判定することができる。
（３）吸気管内圧力の閾値を、車両が一定速度で走行する場合の吸気管内圧力に関するデータに基づいて設定することによって、車両が一定速度で走行又は加速しておりバックラッシュが詰まっているか、あるいは、車両が減速しておりバックラッシュが開いているかを良好に判定することができる。
（４）エンジンの制御目標トルクが加速要求に基づいて設定される加速要求トルクに対して所定値以上増加した場合に出力低減遅延制御を実行していると判定することによって、出力低減遅延制御の実行を簡単かつ正確に検出することができる。
【図面の簡単な説明】
【０００９】
【図１】本発明を適用したエンジン制御装置の実施例を有する車両の構成を示す模式図である。
【図２】図１のエンジン制御装置におけるドライバ要求トルクと制御目標トルクとの推移の一例を示すグラフである。
【図３】図１のエンジン制御装置におけるＤＡ制御実施の要否判断を示すフローチャートである。
【図４】図１の車両が平坦路を一定速度走行する際のインテークマニホールド内圧力を示すグラフである。
【図５】図１のエンジン制御装置におけるドライバ要求トルクと制御目標トルクの推移の他の例を示すグラフである。
【図６】図１のエンジン制御装置におけるドライバ要求トルクと制御目標トルクの推移の他の例を示すグラフである。
【発明を実施するための形態】
【００１０】
本発明は、出力低減遅延制御を行っている状態から出力を向上する際の加速ショックの発生を抑制したエンジン制御装置を提供する課題を、通常時にはインテークマニホールド内圧力に基づいて出力増加遅延制御の要否を判定するとともに、出力低減遅延制御の実行時にはインテークマニホールド内圧力に関わらず出力増加遅延制御を実行することによって解決した。
【実施例】
【００１１】
以下、本発明を適用したエンジン制御装置の実施例について説明する。
実施例のエンジン制御装置は、例えば、乗用車等の自動車に搭載され、電動スロットルバルブを用いて出力調整を行うガソリンエンジンを制御するものである。
図１は、実施例のエンジン制御装置を有する車両の構成を示す模式図である。
【００１２】
車両１は、エンジン１０、トランスミッション２０、アクセルペダル３０、エンジン制御ユニット（ＥＣＵ）１００等を備えている。
エンジン１０は、例えば、４ストロークガソリンエンジンであって、インテークチャンバ１１、スロットル１２、インテークマニホールド１３等を備えている。
インテークチャンバ１１は、図示しないエアフィルタで濾過された燃焼用の空気が導入される容器状の部材である。
スロットル１２は、インテークチャンバ１１とインテークマニホールド１３との間の吸気管路に設けられている。スロットル１２は、インテークマニホールド１３に導入される燃焼用空気の量を調整するスロットルバルブを備えている。スロットルバルブは、図示しない電動モータ等のアクチュエータによって駆動されるいわゆる電動スロットルとなっている。
インテークマニホールド１３は、スロットル１２から出た空気を、エンジン１０の各気筒のインテークポートに配分する分岐管である。
【００１３】
トランスミッション２０は、例えば前進６速、後進１速の手動変速機である。トランスミッション２０は、並行して配置されたドライブシャフト及びドリブンシャフトを有する。ドライブシャフトは、クラッチを介してエンジン１０のクランクシャフトと接続される入力軸である。ドリブンシャフトは、トランスファ、ディファレンシャル、ドライブシャフト等を介して車輪Ｗを駆動する出力軸である。ドライブシャフトとドリブンシャフトとの間には、各変速段に対応するギア列が設けられ、これらのギア列は、ドライバのシフト操作に応じてハブスリーブ等の係合手段が係合することによって選択される。
アクセルペダル３０は、車室内に設けられ、ドライバが踏み込むことによって加速要求を入力する操作部である。
【００１４】
エンジン制御ユニット１００は、エンジン１０及びその補器類を統括的に制御する情報処理装置であって、ＲＡＭ、ＲＯＭ等の記憶手段、ＣＰＵ等の演算手段、及び、入出力インターフェイス等を備えて構成されている。
エンジン制御ユニット１００は、本発明にいうエンジン制御装置であって、加速要求検出手段１１０、スロットル制御手段１２０、バックラッシュ判定手段１３０等を備えている。
【００１５】
加速要求検出手段１１０は、ドライバによるアクセルペダル３０の操作量（踏込量）を検出し、これに基づいてドライバ要求トルクを算出するものである。加速要求検出手段１１０には、アクセルペダル３０の操作量を検出するアクセルペダルポジションセンサ１１１が接続されている。また、アクセルペダルポジションセンサ１１１の出力は、バックラッシュ判定手段１３０にも伝達される。
【００１６】
スロットル制御手段１２０は、加速要求検出手段１１０が算出したドライバ要求トルクに基づいて、スロットル１２の電動アクチュエータを制御し、スロットルバルブを開閉させるエンジン出力調整手段である。スロットルバルブは、エンジンの発生トルクがドライバ要求トルクに基づいて設定される制御目標トルクとほぼ一致するように開閉制御される。スロットル制御手段１２０は、スロットル１２のスロットルバルブの位置を検出するスロットルポジションセンサ１２１を備えている。
ここで、アクセルペダル３０の操作量が定常的である場合には、ドライバ要求トルクと制御目標トルクはほぼ一致するように設定される。これに対し、ドライバがアクセルペダル３０を踏み込み、あるいは、戻した場合のような過渡状態においては、スロットル制御手段１２０は、加速ショックや減速ショックを抑制するため、制御目標トルクの変化を加速要求トルクの変化に対して時間的に遅延させる（なます）ＤＡ（Acceleration - Deceleration）制御及びＡＤ（Deceleration - Acceleration）制御を行う。
【００１７】
図２は、実施例のエンジン制御装置におけるドライバ要求トルクと制御目標トルクの推移の一例を示すグラフである。図２において、横軸は時間を示し、縦軸はトルクを示している。また、図２において、ドライバ要求トルクを実線、制御目標トルクを破線によって示している。（図５、６において同じ）
図２に示すように、アクセルペダル３０が踏み込まれ、ドライバ要求トルクが増加した場合には、ＥＣＵ１００のスロットル制御手段１２０は、ドライバ要求トルクに対して制御目標トルクを遅延させるＤＡ制御を行う。ＤＡ制御においては、ドライバ要求トルクの増加率（図２におけるグラフの傾き）に対する制御目標トルクの増加率を小さくするとともに、特に制御目標トルクが小さい領域で制御目標トルクの増加率をさらに小さくしている。これによって、アクセルペダル３０の踏み始め時には、エンジン１０が穏やかに出力を増加させてトランスミッション２０等のバックラッシュを詰め、その後エンジン１０の出力を増加させることによって加速ショックを抑制している。このＡＤ制御は、エンジン１０の出力トルクが増大して、ドライバ要求トルクとほぼ一致すると終了される。
【００１８】
一方、ＡＤ制御においては、アクセルペダル３０のオフ操作によってドライバ要求トルクが減少する場合に、ドライバ要求トルクが小さい領域ではドライバ要求トルクの減少率に対して制御目標トルクの減少率を小さくしている。これによって、エンジン１０のトルクが急激に減少し、トランスミッション２０のバックラッシュが加速側で詰まっている状態から減速側で詰まっている状態に急変して生じる減速ショックを抑制している。
また、実施例のＥＣＵ１００においては、トランスミッション２０等の動力伝達機構のバックラッシュが加速側に詰まっているか否かを判定し、判定結果に応じて上述したＤＡ制御をキャンセルする機能を備えている。この点については後に詳しく説明する。
【００１９】
バックラッシュ判定手段１３０は、トランスミッション２０や図示しないディファレンシャル、ドライブシャフト等の動力伝達機構のバックラッシュ（ガタ）が加速側（駆動力伝達側）で詰まっているか否かを判定するものである。バックラッシュ判定手段１３０は、車両１が平坦な路面を一定側で走行している状態のときにバックラッシュが詰まっているものと判定する。
バックラッシュ判定手段１３０には、インテークマニホールド圧力センサ１３１、大気圧センサ１３２、クランク角センサ１３３、車速センサ１３４、シフトポジションセンサ１３５等が接続されている。
【００２０】
インテークマニホールド圧力センサ１３１は、エンジン１０のインテークマニホールド１３内の圧力を検出するものである。
大気圧センサ１３２は、車両１の周囲の雰囲気における大気圧を検出するものである。
クランク角センサ１３３は、エンジン１０の図示しないクランクシャフトの回転に応じたパルス信号を出力するものである。バックラッシュ判定手段１３０は、クランク角センサ１３３の出力に基づいて算出されたエンジン１０の回転数（回転速度）を取得可能となっている。
車速センサ１３４は、例えば、車輪を回転可能に支持するホイールハブ部等に設けられ、車両１の走行速度（車速）に応じたパルス信号を出力するものである。バックラッシュ判定手段１３０は、車速センサ１３４の出力に基づいて算出された車両１の車速を取得可能となっている。
シフトポジションセンサ１３５は、トランスミッション２０において現在選択されている変速段を検出し、バックラッシュ判定手段１３０に伝達するものである。
【００２１】
以下、上述したＤＡ制御実施の要否判断について説明する。図３は、ＤＡ制御実施の要否判断を示すフローチャートである。
以下、ステップ毎に順を追って説明する。
＜ステップＳ０１：車速判断＞
バックラッシュ判定手段１３０は、車速センサ１３４の出力に基づいて、車速が予め設定された所定値以上であるか判断する。
車速が所定値以上である場合は、車両１が走行中であるものとしてステップＳ０２に進む。車速が所定値未満である場合は、車両１が停車中あるいはこれに近い微低速走行中であるものとしてステップＳ０８に進む。
【００２２】
＜ステップＳ０２：アクセル開度判断＞
バックラッシュ判定手段１３０は、アクセルペダルポジションセンサ１１１の出力に基づいて検出されるアクセル開度が、予め設定された所定値以上であるか判断する。
アクセル開度が所定値以上である場合には、ドライバが加速を行う意図があるものとしてステップＳ０３に進む。アクセル開度が所定値未満である場合は、ドライバが加速を行う意図がないものとしてステップＳ０８に進む。
【００２３】
＜ステップＳ０３：各センサ等異常判断＞
バックラッシュ判定手段１３０は、インテークマニホールド圧力センサ１３１、大気圧センサ１３２、クランク角センサ１３３、車速センサ１３４、シフトポジションセンサ１３５等の各種センサ等、及び、車載ＬＡＮシステム等の情報伝達手段に故障や断線等の異常がないか診断し、異常がない場合はステップＳ０４に進み、異常がある場合はステップＳ０８に進む。
【００２４】
＜ステップＳ０４：制御目標トルクとドライバ要求トルクの差分判断＞
バックラッシュ判定手段１３０は、制御目標トルクからドライバ要求トルクを減じた差分値を、予め設定された閾値トルクと比較し、差分値が閾値トルク以下である場合はステップＳ０５に進み、差分値が閾値トルクを超えている場合はステップＳ０８に進む。
この閾値トルクは、例えば、０．８Ｎｍ程度の小さい値に設定されており、ＤＡ制御のキャンセルは、制御目標トルクとドライバ要求トルクとの差が実質的にゼロに近い状態でのみ行われるようになっている。
【００２５】
＜ステップＳ０５：閾値インテークマニホールド内圧力算出＞
バックラッシュ判定手段１３０は、後述するステップＳ０６で用いる閾値インテークマニホールド内圧力を算出する。この閾値インテークマニホールド圧力は、エンジン１０の回転数及びトランスミッション２０のシフトポジション（変速段）に基づいて決定される基準圧力に、大気圧に基づいて決定される補正係数を乗じることによって算出される。
【００２６】
基準圧力は、例えば、車両１が大気圧760mmHgの環境下で平坦路を一定速度走行する際のインテークマニホールド内圧力（絶対圧）であって、予め測定された実験値を蓄積した基準圧力テーブルから読み出される。
基準圧力テーブルの一例を表１に示す。また、図４は、基準圧力を示すグラフであって、横軸はエンジン回転数を示し、縦軸は圧力を示している。表１及び図４に示すように、基準圧力は変速段が高速側となるほど高くなり、また、２速以上の変速段においては、エンジン回転数が高くなるほど基準圧力がほぼ２次曲線状に増加している。また、離散的なデータの中間値が必要な場合には、所定の補間処理によって所望の中間値を算出する。
【表１】
2010174847.tif 000003
【００２７】
また、補正係数は、空気が薄くなる高地等において車両１の空気抵抗が低減すると、一定速度走行に必要なエンジン出力が低下し、このときのインテークマニホールド内圧力も低下することを考慮して設けられている。表２は補正係数の一例を示す表である。表２に示すように、大気圧が760mmHｇであるときには補正係数が１（補正なし）であり、ここから大気圧が低下するのに応じて、補正係数は徐々に小さくなるように設定されている。
【表２】
2010174847.tif 000004
【００２８】
＜ステップＳ０６：インテークマニホールド内圧力判断＞
バックラッシュ判定手段１３０は、インテークマニホールド圧力センサ１３１が検出した実際のインテークマニホールド内圧力と、ステップＳ０５において算出した閾値インテークマニホールド内圧力とを比較する。そして、実際のインテークマニホールド内圧力が閾値インテークマニホールド内圧力以上である場合には、トランスミッション２０等のバックラッシュが加速側に詰まっているものと判断し、ステップＳ０７に進む。これに対し、実際のインテークマニホールド内圧力が閾値インテークマニホールド内圧力未満である場合には、トランスミッション２０等のバックラッシュが開いている（減速側に詰まっている）ものと判断し、ステップＳ０８に進む。
【００２９】
＜ステップＳ０７：ＤＡ制御キャンセル＞
スロットル制御手段１２０は、バックラッシュ判定手段１３０によるステップＳ０６における判定結果に応じて、ドライバ要求トルクの増加に応じた制御目標トルクの増加を遅延させるＤＡ制御をキャンセルするか、又は、遅延量を低減したＤＡ制御を行う。遅延量を低減したＤＡ制御を行う場合には、例えば、通常のＤＡ制御における制御目標トルクの変化率に所定の倍率の係数を乗じてスロットルレスポンスを向上させるとよい。
その後、一連の処理を終了（リターン）する。
【００３０】
＜ステップＳ０８：ＤＡ制御実施＞
スロットル制御手段１２０は、バックラッシュ判定手段１３０によるステップＳ０６における判定結果に応じて、ドライバ要求トルクの増加に応じた制御目標トルクの増加を遅延させるＤＡ制御を実施する。
その後、一連の処理を終了（リターン）する。
【００３１】
以下、上述した実施例の効果について説明する。
図５は、実施例のエンジン制御装置におけるドライバ要求トルクと制御目標トルクの推移の他の例を示すグラフである。
実施例においては、ドライバがアクセルペダル３０をオフの状態から踏みこむと、ＤＡ制御が行われ、制御目標トルクの増加が遅延させられてスロットル１２の開き始めが遅くなるため、トランスミッション２０等のバックラッシュが開いた状態から急激に詰まって発生する加速ショックを抑制することができる。
【００３２】
また、ドライバがアクセルオンの状態から一旦アクセルペダル３０を中間位置まで戻し、この部分負荷状態から再度アクセルペダル３０を踏み込んだ場合には、実際のインテークマニホールド内圧力が閾値インテークマニホールド圧力を上回り、ＤＡ制御がキャンセルさせるため、アクセルペダル３０の踏み込みに対してほぼ遅延なくスロットル１２が開かれ、ドライバ操作に対するエンジン出力向上の時間遅れが低減される。このとき、トランスミッション２０等のバックラッシュは加速側に詰まっているため、スロットル１２を早期に開いても加速ショックは発生しない。
【００３３】
図６は、実施例のエンジン制御装置におけるドライバ要求トルクと制御目標トルクの推移の他の例を示すグラフである。
実施例においては、ドライバがアクセルペダル３０を戻した際にＡＤ制御が行われ、制御目標トルクがドライバ要求トルクに対して増加する。このとき、制御目標トルクからドライバ要求トルクを減じた差分値が閾値トルクを超えている場合は、上述したステップＳ０４からステップＳ０８に進み、ＤＡ制御が実施される。
【００３４】
このようなＡＤ制御の実施中においては、インテークマニホールド内圧力が閾値インテークマニホールド圧力よりも大きい場合であっても、トランスミッション２０等のバックラッシュが開いている（エンジンブレーキにより減速側に詰まっている）ため、ＤＡ制御をキャンセルすると、ドライバがアクセルペダル３０を再度踏み込んだ際に大きな加速ショックが発生してしまう。
この点、実施例によれば、ＡＤ制御によって制御目標トルクがドライバ要求トルクに対して閾値トルク以上大きくなっている場合（閾値トルクは微小なので実質的に制御目標トルクがドライバ要求トルクより大きい場合）には、ＤＡ制御を実施することによって、このような場合における加速ショックの発生を防止することができる。
【００３５】
以上のように、実施例によれば、以下の効果を得ることができる。
（１）ＡＤ制御の実行時にインテークマニホールド内圧力に関わらずＤＡ制御のキャンセルを行わないことによって、トランスミッション２０等のバックラッシュが開いているＡＤ制御の実行時にアクセルを再度オンした場合に、ＤＡ制御がキャンセルされて加速ショックが発生することを防止できる。
（２）圧力センサによって直接検出可能であり、かつトルクとの相関性が高いインテークマニホールド内圧力に基づいてバックラッシュの有無を判定することによって、例えばエンジン回転数、燃料噴射量、スロットル開度等からエンジンの出力トルクを推定する場合に対して、バックラッシュの有無を精度よく判定することができる。
（３）インテークマニホールド内圧力の閾値を、車両が一定速度で走行する場合のインテークマニホールド内圧力に関するデータに基づいて設定することによって、車両が一定速度で走行又は加速しておりバックラッシュが詰まっているか、あるいは、車両が減速しておりバックラッシュが開いているかを良好に判定することができる。
（４）エンジンの制御目標トルクが加速要求に基づいて設定される加速要求トルクに対して所定の閾値トルク以上増加した場合にＡＤ制御を実行していると判定することによって、ＡＤ制御の実行を簡単かつ正確に検出することができる。
【００３６】
（変形例）
本発明は、以上説明した実施例に限定されることなく、種々の変形や変更が可能であって、それらも本発明の技術的範囲内である。
（１）上述した実施例では、動力伝達機構のバックラッシュの有無をインテークマニホールド内圧力に基づいて判定していたが、他の手法によって判定してもよい。例えばエンジンの出力トルクをエンジン回転数、エアフローメータ流量、スロットル開度、燃料噴射量等の各種運転条件に基づいて推定するとともに、推定された出力トルクを、推定された車両の走行抵抗と比較することによってバックラッシュの有無を判定するようにしてもよい。
（２）上述した実施例では、エンジンの出力調整をスロットルバルブによって行っているが、本発明は、他の手法によってエンジンの出力調整を行うものにも適用することができる。例えば、点火時期の遅延や、ディーゼルエンジンの場合には燃料噴射量の調節によって上述した加速要求の増加に対するエンジン出力増加の遅延を行うようにしてもよい。
【符号の説明】
【００３７】
１    車両
１０    エンジン                      １１    インテークチャンバ
１２    スロットル                    １３    インテークマニホールド
２０    トランスミッション            ３０    アクセルペダル
１００    エンジン制御ユニット（ＥＣＵ）
１１０    加速要求検出手段
１１１    アクセルペダルポジションセンサ
１２０    スロットル制御手段          １２１    スロットルポジションセンサ
１３０    バックラッシュ判定手段
１３１    インテークマニホールド圧力センサ
１３２    大気圧センサ                １３３    クランク角センサ
１３４    車速センサ                  １３５    シフトポジションセンサ
【図１】
2010174847.tif 000005
【図２】
2010174847.tif 000006
【図３】
2010174847.tif 000007
【図４】
2010174847.tif 000008
【図５】
2010174847.tif 000009
【図６】
2010174847.tif 000010